(57)【要約】【課題】ＰＯＳシステムにおいて違算をしやすい担当者または装置を容易にチェックし易くしたＰＯＳシステムを提供すること。【解決手段】ストアサーバには、担当者を示す担当者番号と、ＰＯＳ装置を示すＰＯＳ番号と、あるべき現金合計を示す現金在高と、釣銭機に存在する釣銭機在高と、前記現金在高と前記釣銭機在高の差を示す過不足が格納されたデータ格納ファイルと、過不足履歴を担当者別またはＰＯＳ装置別に表示する表示手段と、前記データ格納ファイルから担当者別に、またはＰＯＳ装置別に過不足履歴を検索する過不足履歴検索手段を設け、ＰＯＳ装置には、前記現金在高情報と、前記過不足情報を演算する制御手段を設け、ストアサーバではこの過不足履歴情報を担当者番号またはＰＯＳ番号を検索キーとして過不足履歴検索手段により検索すること。【選択図】図１
2005216016.tif 000002
【特許請求の範囲】
【請求項１】
取引情報を格納するデータ格納ファイルを設けたストアサーバと、このストアサーバに接続されたＰＯＳ装置と、このＰＯＳ装置に接続された自動釣銭機を具備するＰＯＳシステムにおいて、
ストアサーバには、
担当者を示す担当者番号と、ＰＯＳ装置を示すＰＯＳ番号と、あるべき現金合計を示す現金在高と、釣銭機に存在する釣銭機在高と、前記現金在高と前記釣銭機在高の差を示す過不足が格納されたデータ格納ファイルと、
過不足履歴を担当者別またはＰＯＳ装置別に表示する表示手段と、
前記データ格納ファイルから担当者別に、またはＰＯＳ装置別に過不足履歴を検索する過不足履歴検索手段を設け、
ＰＯＳ装置には、
前記現金在高情報と、前記過不足情報を演算する制御手段を設け、
取引が行われたとき前記ＰＯＳ装置は前記ストアサーバに現金在高情報と釣銭機在高情報と差額情報を担当者情報とともに通知し、ストアサーバはこれらの情報を前記データ格納ファイルに担当者情報、ＰＯＳ装置情報、時間情報等とともに過不足履歴情報として格納し、ストアサーバではこの過不足履歴情報を担当者番号またはＰＯＳ番号を検索キーとして過不足履歴検索手段により検索することにより過不足履歴情報を出力することを特徴とするＰＯＳシステム。
【請求項２】
取り扱ったあるべき現金合計額を示す現金在高情報と、接続されている釣銭機内の在高を示す釣銭機在高情報と、現金在高と、釣銭機在高との差を示す過不足情報を保持するログ情報保持手段と、
担当者交替を入力する入力手段と、
現金在高情報と、過不足情報を演算する制御手段を設け、
前記制御部が担当者交替を検出したとき、前記ログ情報保持手段から読み出した過不足情報を出力することを特徴とするＰＯＳ装置。
【発明の詳細な説明】
【技術分野】
【０００１】
本発明は、自動釣銭釣札機（以下自動釣銭機という）に接続されたＰＯＳ（ｐｏｉｎｔ  ｏｆ  ｓａｌｅｓ）装置において、自動釣銭機内在高を取引毎に自動的に記録し、取引ログとしてストアサーバに送信して、違算を出し易いＰＯＳ装置及び担当者を、店長などの管理者が簡単にチェックできるようにしたＰＯＳシステム及びＰＯＳ装置に関する。
【背景技術】
【０００２】
従来の、自動釣銭機が接続されたＰＯＳ装置の一日の流れを図７により説明する。
【０００３】
Ｓ１．一日の初めに、ＰＯＳ装置の電源をオンにして開局する。
【０００４】
Ｓ２．自動釣銭機には、前日に釣銭用のお札（５０００円、１０００円等）や硬貨を適当の枚数だけ釣銭準備金として準備されているので、開局のときにその釣銭を識別する識別手段によりこの釣銭準備金の在高を計算し、表示部に表示する。キャッシャはこれをみてＰＯＳ装置の釣銭準備金というキーをタッチしたあと表示されたこの金額を入力することにより自動釣銭機内の釣銭準備金が図示省略したストアサーバに送出される。このようにして開店前の処理が行われる。そして営業中の処理に移る。なお前記釣銭準備金の在高は、自動的にＰＯＳ装置に入力することもできる。
【０００５】
Ｓ３．商品の売上が行われると、キャッシャはＰＯＳ装置に売上高と顧客からの受取り金額を入力し、自動釣銭機にこのお金を投入口より投入する。これにより自動釣銭機はＰＯＳ装置より伝達されたお釣をその支払口より自動的に送出し、キャッシャはこれを顧客に渡す。なおこのときＰＯＳ装置は、この売上額をストアサーバに送り、ストアサーバで計算上のあるべき在高が更新される。この在高更新はＰＯＳ装置で行ってもよい。
【０００６】
Ｓ４．キャッシャが交替してもそのまま引続き売上処理が継続される。
【０００７】
Ｓ５．そして途中で釣銭不足のとき、入金処理が行われる。この入金額はストアサーバで管理される。
【０００８】
Ｓ６．また途中で売上金額が多くなると、中間回収として一万円札の回収が行われる。この回収額はストアサーバで管理される。
【０００９】
Ｓ７．また一万円札のみならず、他の金種の札やコインの枚数が必要以上に多くなると、必要に応じて一万円札も含めた回収処理が出金処理として行われる。この出金処理金額はストアサーバで管理される。
【００１０】
Ｓ８．このようなことが行われて閉店時になるといわゆる締め処理が行われる。まず、自動釣銭機内の現金の金種と枚数が計算され、確認されて、いくら現金があるのかがキー入力される。これにより計算上あるべき現金在高と、実際に自動釣銭機にある現金の照合ができる。
【００１１】
Ｓ９．それから翌日にまわすために自動釣銭機の中に残した金額を設定し、これを確認する。
【００１２】
Ｓ１０．これらの締め後の各データを確定させるためＰＯＳ装置は精算処理を行って、ストアサーバに精算ログを送出し、電源をオフにする。
【００１３】
ところで売上処理を行う場合、キャッシャが顧客よりあづかった金額を間違って入力して釣銭ミスが行われるなどの理由で、売上額の計算による理論上あるべき売上高（論理値在高）と、自動釣銭機内の現金在高との間に差額が生ずる。
【００１４】
この差額すなわち計算上のあるべき在高と、実際の現金在高を確認することが必要であるが、この確認には手間がかかるため、ＰＯＳ精算などの締め操作を行うときにしかできないのが現実である。このため何度も担当者が交替するＰＯＳ装置ではどの担当者が違算を起こしたかを確認することができない。
【００１５】
また、担当者交替のたびに締め処理を行う運用を行っている店舗でも在高の確認をとるのは手間のかかる作業である。上位システムでの確認もとりにくいため、店長などの管理者がチェックするにも不充分であった。
【００１６】
計算上のあるべき在高と実際の在高のチェックは重要なことであり、ＰＯＳ装置と自動釣銭機との間で、取引毎に在高を精査して理論値との差額を計算し、ジャーナル印字している。（例えば特許文献１参照。）
【特許文献１】特開２００１−１４３１６１号公報（図６参照）
【発明の開示】
【発明が解決しようとする課題】
【００１７】
上記従来技術では、ＰＯＳ装置と自動釣銭機の間で取引毎に在高を精査して理論値との差額を計算し、ジャーナル印字している。取引ごとに毎回ジャーナルに差額を印字しているが、どの取引で違算が発生したのか確認するため、担当者は毎回ジャーナルを確認することは運用上行わないし、紙の無駄である。
【００１８】
また上記従来技術では、各ＰＯＳ装置のジャーナルを回収し、どこで差違が起こったのかを手作業で確認しなければならず、膨大な手間がかかる。
【課題を解決するための手段】
【００１９】
前記課題を解決するため、本発明では下記（１）、（２）の如く構成する。
【００２０】
（１）取引情報を格納するデータ格納ファイルを設けたストアサーバと、このストアサーバに接続されたＰＯＳ装置と、このＰＯＳ装置に接続された自動釣銭機を具備するＰＯＳシステムにおいて、ストアサーバには、担当者を示す担当者番号と、ＰＯＳ装置を示すＰＯＳ番号と、あるべき現金合計を示す現金在高と、釣銭機に存在する釣銭機在高と、前記現金在高と前記釣銭機在高の差を示す過不足が格納されたデータ格納ファイルと、過不足履歴を担当者別またはＰＯＳ装置別に表示する表示手段と、前記データ格納ファイルから担当者別に、またはＰＯＳ装置別に過不足履歴を検索する過不足履歴検索手段を設け、ＰＯＳ装置には、前記現金在高情報と、前記過不足情報を演算する制御手段を設け、取引が行われたとき前記ＰＯＳ装置は前記ストアサーバに現金在高情報と釣銭機在高情報と差額情報を担当者情報とともに通知し、ストアサーバはこれらの情報を前記データ格納ファイルに担当者情報、ＰＯＳ装置情報、時間情報等とともに過不足履歴情報として格納し、ストアサーバではこの過不足履歴情報を担当者番号またはＰＯＳ番号を検索キーとして過不足履歴検索手段により検索することにより過不足履歴情報を出力することを特徴とする。
【００２１】
（２）ＰＯＳ装置には、ＰＯＳ装置が取り扱ったあるべき現金合計額を示す現金在高情報と、接続されている釣銭機内の在高を示す釣銭機在高情報と、現金在高と、釣銭機在高との差を示す過不足情報を保持するログ情報保持手段と、担当者交替を入力する入力手段と、現金在高情報と、過不足情報を演算する制御手段を設け、前記制御部が担当者交替を検出したとき、前記ログ情報保持手段から読み出した過不足情報を出力することを特徴とする。
【発明の効果】
【００２２】
本発明により下記の効果を奏する。
【００２３】
（１）本発明により、自動釣銭機を接続した場合に、自動釣銭機内の在高を取引ごとに自動的に記録し、取引ログとしてストアサーバに送信することにより過不足情報をＰＯＳ装置別、担当者別に出力することが容易にできるので、違算を出し易いＰＯＳ装置および担当者を店長などの管理者がチェックすることが簡単に可能になる。これにより違算を出し易いＰＯＳ装置や担当者を正確にチェックできるのみならず、担当者の不正を抑止することができる。しかも自動釣銭機内の在高を簡単に確認できるので、担当者交替や精算、釣銭準備金設定などの店舗オペレーションのスピードアップを図ることもできる。
【００２４】
（２）担当者の交替時には、過不足額をＰＯＳレシートに印字することにより、各担当者に自らがどれだけ違算を出したのか確認させることが簡単にできる。前記特許文献１では、取引毎に毎回ジャーナルに差額を印字しているが、本発明では担当者交替のときだけにレシート、ジャーナルに印字する。担当者交替時に差額が担当者にわかれば運用上十分であり、自動釣銭機の在高情報を取引ログとともにストアサーバに取引ごとにあげることで、店長などの責任者がストアサーバ上で違算を出し易い担当者、ＰＯＳ装置をチェックすることができ、どこで違算が生じているのか検索性が高い。
【発明を実施するための最良の形態】
【００２５】
ストアサーバには、担当者を示す担当者番号と、ＰＯＳ装置を示すＰＯＳ番号と、あるべき現金合計を示す現金在高と、自動釣銭機内に存在する釣銭機在高と、前記現金在高と前記釣銭機在高の差を示す過不足が格納されたデータ格納ファイルと、過不足履歴を担当者別またはＰＯＳ装置別に表示する表示手段と、前記データ格納ファイルから担当者別に、またはＰＯＳ装置別に過不足履歴を検索する過不足履歴検索手段を設ける。
【００２６】
ＰＯＳ装置には、ＰＯＳ装置が取り扱ったあるべき現金合計額を示す現金在高情報と、釣銭機内の在高を示す釣銭機在高情報と、現金在高と、釣銭機在高との差を示す過不足情報を保持するログ情報保持手段と、前記現金在高情報と、前記過不足情報を演算する制御手段を設ける。
【００２７】
取引が行われたとき前記ＰＯＳ装置は前記ストアサーバに現金在高情報と釣銭機在高情報と差額情報を担当者情報とともに通知し、ストアサーバはこれらの情報を前記データ格納ファイルに担当者情報、ＰＯＳ装置情報、時間情報等とともに過不足履歴情報として格納し、ストアサーバではこの過不足履歴情報を担当者番号またはＰＯＳ番号を検索キーとして過不足履歴検索手段により検索することにより過不足履歴情報を出力する。
【００２８】
また担当者が交替したときログ情報保持手段から読み出した過不足情報を出力する。
【実施例１】
【００２９】
本発明の実施例を図１〜図６にもとづき説明する。図１は本発明の実施の形態、図２は本発明の概略動作説明図、図３は本発明の開局時及び売上処理時の動作説明図、図４は本発明の担当者交替時と残置登録時の動作説明図、図５は本発明の担当者交替時の印字出力説明図、図６は本発明の担当者別及びＰＯＳ別の過不足履歴出力状態説明図である。
【００３０】
図中、１はストアサーバ、２はストアサーバ処理部、３はデータ格納ファイル、４は表示部、５は格納処理手段、６は過不足履歴検索手段、７は主制御部、１０、１１、１２はＰＯＳ装置、１５は制御部、１６は入出力制御部、１７は印刷処理手段、１８はログ情報保持手段、１９は表示部、２０、２１、２２は自動釣銭機、２５は制御部、２６は識別部、２７は表示部を示す。
【００３１】
ストアサーバ１は店内に配置された多数のＰＯＳ装置１０、１１、１２・・・の売上情報を管理するものであり、後述するようにＰＯＳ装置ごと、または担当者ごとに過不足額の履歴を表示するものである。
【００３２】
ストアサーバ処理部２はストアサーバ１を制御するものであり、データ格納ファイル３に取引ログ情報を格納処理したり、データ格納ファイル３より必要なデータを読み出したり、読み出したデータを表示部４に表示したりするものであり、ＣＰＵにより構成されている。
【００３３】
データ格納ファイル３はＰＯＳ装置１０、１１、１２・・・における売上処理に関係するデータを格納するものであり、例えばＰＯＳ番号、担当者コード、担当者名、開始時刻、終了時刻、現金在高、釣銭機在高、過不足額等が格納される。
【００３４】
表示部４は、例えばデータ格納ファイル３より読み出した過不足履歴データを表示するものである。過不足履歴データを表示する場合、初期画面は、図６（Ａ）に示す如き担当者別の表示画面が表示される。
【００３５】
格納処理手段５は、ＰＯＳ装置１０、１１、１２・・・から出力された取引ログ情報を、例えばＰＯＳ番号、担当者コード、担当者名、開始時刻、終了時刻、現金在高、釣銭機在高、過不足額の順序で格納するものである。
【００３６】
過不足履歴検索手段６は、ＰＯＳ装置１０、１１、１２・・・を操作する担当者名にもとづき、あるいはＰＯＳ装置１０、１１、１２・・・のＰＯＳ番号にもとづきデータ格納ファイル３を検索して、必要なデータを読み出すものである。
【００３７】
主制御部７は、ストアサーバ処理部２を制御するものであり、例えば店長がＰＯＳ番号別の過不足履歴検索指示を入力したときこれを解読して過不足履歴検索手段６を制御して、データ格納ファイル３より必要なデータを読み出させ、これを図６（Ｂ）に示す如く、ＰＯＳ番号毎に担当者名、開始時刻、終了時刻、現金在高、釣銭在高、過不足額等を表示部４に表示させる表示制御を行うものである。
【００３８】
ＰＯＳ装置１０は、顧客が取引を行ったことに関するデータを入出力するものであり、自動釣銭機２０が接続されている。そしてこの取引の結果得られた取引ログ情報をストアサーバ１に、例えばＬＡＮを経由して出力する。取引ログ情報として、例えば現金在高情報と釣銭機在高情報と過不足額が出力される。
【００３９】
ＰＯＳ装置１１、１２・・・もＰＯＳ装置１０と同様に構成されているので、ＰＯＳ装置１０について代表的に説明する。
【００４０】
制御部１５はＰＯＳ装置１０を制御するものであって、例えば自動釣銭機２０に対し釣銭機在高情報を入力要求制御したり、受けた釣銭機在高情報を取引ログとしてストアサーバ１に送出制御したり、担当者交替が入力されたとき、図５に示す如きレシートとジャーナルを印字出力制御するものである。また自動釣銭機２０に対して在高をＰＯＳ装置１０に対して返信するように求める制御を行うものである。
【００４１】
入出力制御部１６は顧客との取引に際し、商品コードを入力したり、支払ったお金を入力したり、売上額や釣銭を表示部１６に表示するものである。
【００４２】
印刷処理手段１７は顧客との取引に際し、レシートやジャーナルを印刷する外に、担当者交替の場合、この担当者交替のキーが操作されたとき、図５（Ａ）、（Ｂ）に示すレシート、ジャーナルを印刷処理するものである。
【００４３】
ログ情報保持部１８は、売上処理に際して発生する取引ログ情報すなわち現金在高、釣銭機在高、過不足額等を保持するもので、例えばレジスタにより構成される。
【００４４】
表示部１９は顧客との取引に際し、商品の単価、顧客が支払った金額、顧客に支払うべき釣銭等が表示されるものである。
【００４５】
自動釣銭機２０は支払うべき金額が入力されると、ＰＯＳ装置１０から釣銭として指示された支払うべき金銭が自動的に選択出力されるものであり、担当者はそれを顧客に渡すだけで釣銭の支払いが自動的に行うことができるものであり、ＰＯＳ装置１０とケーブルで接続されている。
【００４６】
自動釣銭機２１、２２・・・も自動釣銭機２０と同様に構成されているので、自動釣銭機２０について代表的に説明する。
【００４７】
制御部２５は自動釣銭機２０を制御するものであって、ＰＯＳ装置１０から自動釣銭機２１内の在高の取得依頼を受信したとき、識別部２６を制御して自動釣銭機２０内に存在するお札や硬貨の種別、枚数を識別させてその合計金額を在高として得たり、この在高を表示部２７に表示してＰＯＳ装置２０の操作者に知らせるなどの制御を行うものである。制御部２５はＰＯＳ装置１０より単なる在高の取得依頼を受け取ったときは在高のみを表示あるいはＰＯＳ装置１０に通知するが、釣銭機精査依頼を受け取ったとき、自動釣銭機から読み取った金種と枚数の情報を出力する。
【００４８】
識別部２６は、自動釣銭機２０内に収納保持されているお札や硬貨の種別と枚数を認識して、その合計金額を得るものである。
【００４９】
表示部２７は、例えば前記合計金額を表示して自動釣銭機２０内の在高を表示するものである。
【００５０】
本発明の一日の流れを図２、図３、図４のフローにより説明する。
【００５１】
Ａ．開局
一日の初めに、ＰＯＳ装置の電源をオンにして開局する。これにより図３（Ａ）に示すＳ１１〜Ｓ１５の処理が行われる。
【００５２】
Ｓ１１．これにより、図１に示すＰＯＳ装置１０の制御部１５が自動釣銭機２０に対してコマンドを出力し、自動釣銭機２０内に釣銭準備金として前日の終わりに収納した在高の取得を依頼する。このコマンドを自動釣銭機２０の制御部２５が受信して識別部２６を制御し、在高を検出してこれをＰＯＳ装置に返信する。このようにＰＯＳ装置１０では開局時に自動釣銭機２０内の在高を自動的に取得する。勿論自動釣銭機２０の表示部２７でこの在高を表示し、キャッシャがＰＯＳ装置１０にキー入力することもできる。
【００５３】
Ｓ１２．ＰＯＳ装置１０ではこのようにして在高を得てから、図示省略した記憶手段で保持している前日の残置登録金額との差額を求め、確認を行う。
【００５４】
Ｓ１３．それから前記取得した在高を釣銭準備金として登録する。
【００５５】
Ｓ１４．ＰＯＳ装置１０は、この差額、つまり過不足額と釣銭準備金をストアサーバ１に送信する。これは差額がゼロ（正常の場合はゼロ）でも取引ログとして行う。ストアサーバ１では、これを開局情報として格納する。このようにして開局時に自動釣銭機２０内の在高をＰＯＳ装置１０が自動的に取得し、前日に残置登録したメモリ金額と差異がないか過不足チェックするとともに、自動釣銭機２０から取得した在高の金額を釣銭準備金として自動登録し、この内容をストアサーバ１に送信する。
【００５６】
Ｓ１５．それからＰＯＳ装置１０は、前記差額を、ゼロであってもレシートに印字する。
【００５７】
Ｂ．売上処理
顧客が商品を買うと、その度に図３（Ｂ）に示すＳ２１〜Ｓ２３の処理が行われる。
【００５８】
Ｓ２１．顧客との売上取引が終了すると、ＰＯＳ装置１０は自動釣銭機２０に対してコマンドを出力し、取引にもとづく顧客の購入代金や釣銭支払等による自動釣銭機２０における新しい金額を算出するために必要なそれまでの釣銭機内、在高取得依頼を行う。これにより自動釣銭機２０では、識別部２６が制御され、在高を検出してこれをＰＯＳ装置１０に返信する。
【００５９】
Ｓ２２．ＰＯＳ装置１０では、売上の増加に応じて新たに計算されたあるべき現金合計、つまり論理値在高と前記自動釣銭機２０より返信された取得在高の差額（正確ならばゼロ）を求める。
【００６０】
Ｓ２３．そしてＰＯＳ装置１０は、ストアサーバ１に対して、売上げた商品名、単価、数量、合計金額等の取引ログ情報に追加して過不足チェック結果格納領域にＰＯＳ番号、担当者コード、担当者名、開始時刻、終了時刻、現金在高（あるべき現金合計）、釣銭機在高、過不足額（現金在高−釣銭機在高）等を加えて取引ログ情報として送信する。これによりストアサーバ１には取引ログ情報及び過不足情報などが格納される。
【００６１】
Ｃ．担当者交替
ＰＯＳ装置を操作するキャッシャが交替したとき、図４（Ａ）に示す如き処理が行われ、また図５に示す如きレシート、ジャーナルが印字出力される。
【００６２】
Ｓ３１．ＰＯＳ装置１０を操作するキャッシャが交替すると、例えば担当者交替キーがタッチされて新担当者番号が入力される。そしてＰＯＳ装置１０は自動釣銭機２０に対してコマンドを出力し、自動釣銭機２０が保持しているお金の在高つまり釣銭機内、在高取得依頼を行う。これにより自動釣銭機２０では、識別部２６が制御され、在高を検出してこれをＰＯＳ装置１０に返信する。
【００６３】
Ｓ３２．ＰＯＳ装置１０では、自己が保持している論理値在高と前記自動釣銭機２０より返信された取得在高の差額を求める。
【００６４】
Ｓ３３．そしてＰＯＳ装置１０では、ストアサーバ１に対してこの差額つまり過不足情報と、担当者情報を送信する。
【００６５】
Ｓ３４．ＰＯＳ装置１０では、その印刷処理手段１７がこれにより、図５（Ａ）、（Ｂ）に示す如く、ログ情報保持部１８が保持している現金在高を参照してレシート、ジャーナルを印字する。そしてレシートは２枚印刷し、それまでの担当者である前キャッシャと、新しく担当する後キャッシャに自己申告用として渡す。前キャッシャは先に自分が新しく交替したときに受け取ったレシートと比較して過不足の変更の有無を確認し、自己申告する。
【００６６】
Ｓ３５．ストアサーバ１では、前記Ｓ３３で受信した差額（過不足）情報及び、担当者情報を受信し、これをデータ格納ファイル３に格納する。このときの送信データには、ＰＯＳ番号、担当者コード、担当者名、開始時刻、終了時刻、現金在高、釣銭機在高、過不足額が記入され、例えばこの順で格納される。
【００６７】
Ｓ３６．それからストアサーバ１で例えば店長が過不足履歴を求めるレポート起動を行うと、以下の処理が行われる。
【００６８】
Ｓ３７．ストアサーバ１では、過不足履歴検索手段６がレポートに指示された担当者名又は担当者番号をキーとしてデータ格納ファイル３を検索する。
【００６９】
Ｓ３８．そして初期画面として、図６（Ａ）に示す担当者別過不足一覧表示画面を表示部４に表示する。
【００７０】
次にＰＯＳ別の表示画面の提示を行う場合、例えば図６（Ａ）の表示画面でＰＯＳ番号の項を選択すれば、図６（Ｂ）に示す如きＰＯＳ番号別の過不足履歴表示を行うことができる。
【００７１】
Ｄ．残置登録
残置登録は、一日の終わりに自動釣銭機に釣銭用として翌日に残す金額を設定し、ストアサーバに登録することである。このため図４（Ｂ）に示す如き処理が行われる。
【００７２】
Ｓ４１．一日の取引が終わると、残置登録が行われる。まずＰＯＳ装置１０は自動釣銭機２０に対しコマンドを出力し自動釣銭機２０が保持しているお金の在高つまり釣銭機内、在高取得依頼を行う。これに応じて自動釣銭機２０はその所有する在高をＰＯＳ装置１０に返信する。
【００７３】
Ｓ４２．ＰＯＳ装置１０では、自己が保持している論理値在高と前記自動釣銭機２０より返信された取得在高の差額を求める。
【００７４】
Ｓ４３．ＰＯＳ装置１０では翌日の釣銭準備金として必要な金額を図示省略したメモリに登録する。そして自動釣銭機内の金額をこれに合わせる。
【００７５】
Ｓ４４．ＰＯＳ装置１０では、前記Ｓ４２で求めた差額（過不足）と、Ｓ４３で登録した釣銭準備金をストアサーバ１に送信する。ストアサーバ１ではこれらの残置情報を受信し、格納する。
【００７６】
Ｓ４５．ＰＯＳ装置１０では、これらの差額と釣銭準備金をレシートに印字する。このようにしてあるべき論理値在高との過不足をチェックし、翌日に回す金額を設定、保持し、自動釣銭機にこれに一致したお金を残し、これらの内容をストアサーバ１に送信し、翌日の取引に備える。
【図面の簡単な説明】
【００７７】
【図１】本発明の一実施の形態を示す。
【図２】本発明の概略動作説明図である。
【図３】本発明の開局時及び売上処理時の動作説明図である。
【図４】本発明の担当者交替時と残置登録時の動作説明図である。
【図５】本発明の担当者交替時の印字出力説明図である。
【図６】本発明の担当者別及びＰＯＳ別の過不足履歴出力状態説明図である。
【図７】従来例の説明図である。
【符号の説明】
【００７８】
１  ストアサーバ
２  ストアサーバ処理部
３  データ格納ファイル
４  表示部
５  格納処理手段
６  過不足履歴検索手段
７  主制御部
１０、１１、１２  ＰＯＳ装置
１５  制御部
１６  入出力制御部
１７  印刷処理手段
１８  ログ情報保持手段
１９  表示部
２０、２１、２２  自動釣銭機
２５  制御部
２６  識別部
２７  表示部
【図１】
2005216016.tif 000003
【図２】
2005216016.tif 000004
【図３】
2005216016.tif 000005
【図４】
2005216016.tif 000006
【図５】
2005216016.tif 000007
【図６】
2005216016.tif 000008
【図７】
2005216016.tif 000009